(57)【要約】【課題】移動局が基地局に対して通信要求する際の通信要求信号の送信回数を最適な回数に設定可能な無線通信システムを提供すること。【解決手段】移動局は通信要求信号の送信回数をカウントする送信カウンタを備えるとともに通信要求信号に送信カウンタのカウント値を含めて送信し、基地局は通信要求信号を受信して同期がとれたときの通信要求信号に含まれるカウント値を同期確立カウント値として抽出し移動局との通信が完了したのち移動局に対して同期確立カウント値を送信し、移動局は同期確立カウント値を受信し該同期確立カウント値を新たな通信要求信号の送信回数として記憶するようにした。【選択図】図１
2012212973.tif 000002
【特許請求の範囲】
【請求項１】
基地局と、前記基地局と無線通信を行う移動局を備え、
前記移動局は前記基地局に対して通信を行う際、前記基地局と同期をとるための通信要求信号を予め記憶された送信回数だけ送信する無線通信システムにおいて、
前記移動局は前記通信要求信号の送信回数をカウントする送信カウンタを備えるとともに前記通信要求信号に前記送信カウンタのカウント値を含めて送信し、
前記基地局は前記通信要求信号を受信して同期がとれたときの前記通信要求信号に含まれるカウント値を同期確立カウント値として抽出し前記移動局との通信が完了したのち前記移動局に対して前記同期確立カウント値を送信し、
前記移動局は前記同期確立カウント値を受信し該同期確立カウント値を新たな前記通信要求信号の送信回数として記憶することを特徴とする無線通信システム。
【請求項２】
請求項１記載の無線通信システムにおいて、
前記移動局は、前記同期確立カウント値に所定の値を加算し、加算した値を新たな通信要求信号の送信回数として記憶することを特徴とする無線通信システム。
【請求項３】
請求項１または２記載の無線通信システムにおいて、
前記移動局は、前記通信要求信号の送信回数初期値を予め記憶し、前記基地局から同期確立カウンタ値が得られなかった場合、前記送信回数初期値を新たな通信要求信号の送信回数として記憶することを特徴とする無線通信システム。
【発明の詳細な説明】
【技術分野】
【０００１】
本発明は、基地局と移動局とを具備した無線通信システムに関し、詳しくは、移動局から基地局へ通信要求する際の通信要求信号の送信回数の設定に関するものである。
【背景技術】
【０００２】
デジタル無線通信において、２地点間（例えば、移動局１２と基地局１１の間）の同期を確立して通信を行うための手法として、同期バースト信号を送信する手法が従来から用いられている。例えば、移動局１２から基地局１１に対して呼接続を行う際の通信要求信号として同期バースト信号を送信して呼接続を行うことで、その後の音声通信やデータ通信等を確実に行うことが可能となる。
【０００３】
このような同期バースト信号を用いた通信の一例として、例えば、特許文献１に記載のデジタル無線電話装置が存在する。この特許文献１は、一度下り同期バーストＳＢ３のスーパーフレーム同期カウンタＳＳＣの値を誤って受信するとなかなか通信チャネルＴＣＨの送受信まで進めなかったり、また、同期バーストＳＢの送受信から通信チャネルＴＣＨの送受信に移る時、同期バーストＳＢか通信チャネルＴＣＨかが判然とせず時間を費やしたりすることがあったという従来の問題点を解決して、再同期や、通信チャネルへの切り替えに要する時間を短縮することを目的としたものである。
【特許文献１】特開平０８−８４１０９号公報
【発明の開示】
【発明が解決しようとする課題】
【０００４】
特許文献１では、電話装置での複信方式であるが、消防無線などにおいて、トランシーバのように単信方式で行う通信装置も採用されている。単信方式の場合、送信中は相手先の通信が受信できないため、事前に通信方法を取り決めておく必要がある。
【０００５】
このような一波または二波単信方式の場合の移動局１２と基地局１１の間における同期確立から音声通話までの流れを図４のタイミングチャートを用いて説明する。先ず、移動局１２から呼接続を行う場合、基地局に対して自局の識別番号ＩＤと同期バースト信号を含む通信要求信号を予め設定されている回数分だけ連続して送信する。図４の例では、既定回数として５回の送信を行っている。この既定回数は、その回数だけ送信すればある程度確実に基地局１１が移動局との同期確立をできる回数に設定される。
消防無線において、呼接続するために送信側は、通信要求信号である同期バースト信号を複数回送信した後、音声通信に移行するので、相手局である基地局１１との通信を行うための同期が確立できたかを移動局１２側で確認することが出来ないため、確実に同期が確立できるであろう回数に設定しておく必要がある。図４の例では、２回目の同期バースト信号の送信によって基地局１１において同期が確立されて基地局１１から統制台１０に着信ＯＮが通知されるが、その後も移動局１２から３回目〜５回目までの同期バースト信号の送信が行われる。
【０００６】
その後、移動局１２では、同期バースト信号の５回の送信によって基地局１１との間に同期が確立されているとの前提に立って音声信号の送信を開始する。基地局１１との間で同期が確立されているため、音声信号も問題なく基地局１１へ送信され、統制台１０の音声信号が届けられる。移動局１２では、音声信号の送信が終了し次第、アイドル信号を所定回数（図４の例では３回）だけ送信して、基地局１１及び統制台１０に対して着信ＯＦＦを通知する。これにより、今度は統制台１０側から音声通話を行うなどの次の処理に移行することが可能となる。
【０００７】
ここで、最適な同期バースト信号の送信回数は、基地局１１と移動局１２との位置関係、電波状況などによって適宜変化するものであるから、事前に最適な回数を設定することが難しく、余裕を持たせた送信回数とすることが多かった。しかし、図４のように、２回目の同期バースト信号の送信によって既に基地局１１との間で同期が確立されている場合には、実質的に３回目〜５回目までの同期バースト信号の送信は必要のない動作であるため、これにより通話開始までの時間が遅延してしまうというデメリットがある。かといって、予め設定する同期バースト信号の送信回数を少ない回数に設定してしまうと、同期が確立する前に移動局１２が音声通話を開始してしまうことになるため、通話の頭切れや通話の発信者不明という事態が発生してしまうという問題がある。
【０００８】
本発明は、上記問題点に鑑みなされたものであり、基地局と移動局との間の電波状況に応じて通信要求信号の送信回数を最適なものに設定可能な無線通信システムを提供することを目的とするものである。
【課題を解決するための手段】
【０００９】
本発明の請求項１は、基地局と、前記基地局と無線通信を行う移動局を備え、前記移動局は前記基地局に対して通信を行う際、前記基地局と同期をとるための通信要求信号を予め記憶された送信回数だけ送信する無線通信システムにおいて、前記移動局は前記通信要求信号の送信回数をカウントする送信カウンタを備えるとともに前記通信要求信号に前記送信カウンタのカウント値を含めて送信し、前記基地局は前記通信要求信号を受信して同期がとれたときの前記通信要求信号に含まれるカウント値を同期確立カウント値として抽出し前記移動局との通信が完了したのち前記移動局に対して前記同期確立カウント値を送信し、前記移動局は前記同期確立カウント値を受信し該同期確立カウント値を新たな前記通信要求信号の送信回数として記憶することを特徴とする無線通信システムである。
【００１０】
本発明の請求項２は、請求項１に加えて、前記移動局は、前記同期確立カウント値に所定の値を加算し、加算した値を新たな通信要求信号の送信回数として記憶することを特徴とする無線通信システムである。
【００１１】
本発明の請求項３は、請求項１又は請求項２に加えて、前記移動局は、前記通信要求信号の送信回数初期値を予め記憶し、前記基地局から同期確立カウンタ値が得られなかった場合、前記送信回数初期値を新たな通信要求信号の送信回数として記憶することを特徴とする無線通信システムである。
【発明の効果】
【００１２】
請求項１記載の発明によれば、移動局は、前記通信要求信号の送信回数をカウントする送信カウンタを備えるとともに前記通信要求信号に前記送信カウンタのカウント値を含めて送信し、前記基地局は前記通信要求信号を受信して同期がとれたときの前記通信要求信号に含まれるカウント値を同期確立カウント値として抽出し前記移動局との通信が完了したのち前記移動局に対して前記同期確立カウント値を送信し、前記移動局は前記同期確立カウント値を受信し該同期確立カウント値を新たな前記通信要求信号の送信回数として記憶するようにしたことで、無駄な通信要求信号を送信することによって音声通話開始までの時間が遅延してしまうというデメリットを解消することが出来る。
【００１３】
請求項２記載の発明によれば、移動局は、前記同期確立カウント値に所定の値を加算し、加算した値を新たな通信要求信号の送信回数として記憶するようにしたので、同期確立情報で得られた送信カウンタ値にマージンを持たせることでより確実に同期がとれることになる。
【００１４】
請求項３記載の発明によれば、移動局は、前記通信要求信号の送信回数初期値を予め記憶し、前記基地局から同期確立カウンタ値が得られなかった場合、前記送信回数初期値を新たな通信要求信号の送信回数として記憶するようにしたので、確実な同期の確立が行えなかった場合には、通信要求信号の送信回数を同期が確実にとれるであろう送信回数である送信回数初期値に戻す処理を行うことで、次回の呼接続を確実に行うことが可能となる。
【図面の簡単な説明】
【００１５】
【図１】本発明による無線通信システムにおける移動局から基地局に対して通信要求した際の流れを表したタイミングチャートである。
【図２】本発明による無線通信システムにおける処理の流れを表したフローチャートである。
【図３】（ａ）は、通信要求信号のフォーマットを表した模式図であり、（ｂ）は、音声信号の合間に乗せて同期確立情報を送信する場合の基地局が送信する無線信号のフォーマットを表した模式図である。
【図４】従来の無線通信システムにおける通信要求した際の流れを表したタイミングチャートである。
【発明を実施するための形態】
【００１６】
本発明による無線通信システムは、基地局と、前記基地局と無線通信を行う移動局を備え、前記移動局は前記基地局に対して通信を行う際、前記基地局と同期をとるための通信要求信号を予め記憶された送信回数だけ送信する無線通信システムにおいて、前記移動局は前記通信要求信号の送信回数をカウントする送信カウンタを備えるとともに前記通信要求信号に前記送信カウンタのカウント値を含めて送信し、前記基地局は前記通信要求信号を受信して同期がとれたときの前記通信要求信号に含まれるカウント値を同期確立カウント値として抽出し前記移動局との通信が完了したのち前記移動局に対して前記同期確立カウント値を送信し、前記移動局は前記同期確立カウント値を受信し該同期確立カウント値を新たな前記通信要求信号の送信回数として記憶することを特徴とするものである。以下、詳細に説明を行う。
【実施例１】
【００１７】
本発明による無線通信システムについて図面に基づいて説明を行う。本発明による無線通信システムは、少なくとも、統制台１０、基地局１１、移動局１２を含んだものとして構成されている。統制台１０は、無線通信システム全体を管理する装置である。基地局１１は、固定的に設置された無線局であり、統制台１０と有線にて接続されている。移動局１２は、移動可能な無線局であり、かつ、本発明においては単信方式の通信が行えるものとする。一般的な無線通信システムとしては二波複信、二波単信、一波単信などの通信方式があるが、以下の本実施例においては、単信方式のみを行うものとして説明する。
【００１８】
次に、本発明による無線通信システムにおける移動局１２と基地局１１の間での同期確立から音声通話までの流れを図１のタイミングチャートを用いて説明する。先ず、移動局１２から呼接続を行う場合、基地局に対して通信要求信号ＳＢを予め設定されてメモリ（図示せず）に記憶されている送信回数分だけ連続して送信する。図１の例では、通信要求信号ＳＢの送信回数の値は「５」に設定されている。ここで、本発明における通信要求信号ＳＢは、図３（ａ）に示すようなフォーマットからなり、同期バースト信号フォーマット内のパラメータ情報チャネル（ＰＩＣＨ）に通信要求信号が設定され、その中に自局を他の移動局と識別するための「識別情報ＩＤ」を表示することに加えて、連続して送信する通信要求信号ＳＢの何番目の送信にあたるかを表すための「ＳＢ送信カウンタの値」の情報がある。このＳＢ送信カウンタは、図１に示すように、最初の送信時は「１」に設定されており、順次＋１ずつインクリメントして、ＳＢ送信カウンタの値が通信要求信号ＳＢの送信回数の値である「５」になるまで通信要求信号ＳＢを送信する。
【００１９】
単信方式で通信要求信号からそのまま音声通信モードに移行する場合には、相手側の基地局１１が何回目の通信要求信号ＳＢの送信で同期を確立できたかを移動局１２側で確認することが出来ないため、図１の例では、２回目の通信要求信号ＳＢの送信によって基地局１１において同期が確立されて基地局１１から統制台１０に移動局からの信号を受信したことを知らせる着信ＯＮが通知されているが、移動局１２においては、その後も３回目〜５回目までの通信要求信号ＳＢの送信が行われる。
【００２０】
その後、移動局１２では、通信要求信号ＳＢの５回の送信によって基地局１１との間に同期が確立されているとの前提に立って音声信号の送信を開始する。図１の例では、２回目の通信要求信号ＳＢの送信で基地局１１との間で同期が確立されているため、音声信号も問題なく基地局１１へ送信され、統制台１０に音声信号が届けられる。移動局１２では、音声信号の送信が終了し次第、送信の終了をする意味するアイドル信号Ｍ（移動局が発するアイドル信号を表す）を所定回数（図１の例では３回）だけ送信し、基地局１１は移動局１２からのアイドル信号Ｍを受信すると、統制台１０に対して移動局１２からの送信が終了することを知らせる着信ＯＦＦを通知する。
【００２１】
移動局１２がアイドル信号Ｍを送信し終わった段階で受信待ち状態となり、基地局１１においては送信が可能となる。ここで、本発明の特徴として、基地局１１から移動局１２に対して何回目の通信要求信号ＳＢによって同期を確立したかを通知するために、基地局１１は同期を確立した際の通信要求信号ＳＢのＩＤと同期確立カウント値となるＳＢ送信カウンタの値を参照して、これを一時的に基地局内のメモリ（図示せず）に記憶し、移動局１２が送信終了後に、基地局から同期確立情報として当該ＩＤ及び同期確立カウント値を送信する。図１の例では、２回目の通信要求信号ＳＢで同期を確立しているためＳＢ送信カウンタ＝２、即ち同期確立カウント値＝２となり、これを通信要求した移動局の識別情報ＩＤ＝１とともに同期確立情報として、アイドル信号Ｂ（基地局が発するアイドル信号を表す）に乗せて３回送信している。なお、同期確立情報を送信するタイミングは、アイドル信号Ｂに乗せて送信する場合に限られるものではなく、音声通信のデータの合間に乗せて送信することも可能である。同期確立情報を音声データの合間に乗せて送信する場合のフォーマットの一例を図３（ｂ）に示す。
【００２２】
同期確立情報を受信した移動局１２は、同期確立情報から同期確立カウント値を参照し、これを新たな通信要求信号ＳＢの送信回数の値としてメモリに記憶する。図１の例では、最初の通信要求信号ＳＢの送信回数の値は「５」であったが、同期確立情報として同期確立カウント値＝２が送信されてきたので、通信要求信号ＳＢの送信回数の値を「２」として記憶することになる。これにより、以降、当該移動局１２においては、通信要求信号ＳＢの送信回数が２回に設定される。
【００２３】
上記の処理をより詳しく説明するために、図２のフローチャートを用いて説明する。先ず、移動局１２から基地局１１に対して呼接続を行う場合の処理の流れをＳ１１〜Ｓ１７により説明する。先ず、通信要求信号ＳＢのＳＢ送信カウンタの値を「１」に設定（Ｓ１１）し、通信要求信号ＳＢを送信する（Ｓ１２）。その後、ＳＢ送信カウンタの値と通信要求信号ＳＢの送信回数Ｎを比較する（Ｓ１３）。ＳＢ送信カウンタの値が通信要求信号ＳＢの送信回数Ｎよりも小さい場合には、ＳＢ送信カウンタの値を＋１インクリメントし（Ｓ１４）、そのインクリメント後のＳＢ送信カウンタの値によって通信要求信号ＳＢを送信する（Ｓ１２）。以降、ＳＢ送信カウンタの値＝通信要求信号ＳＢの送信回数Ｎとなるまで、ＳＢ送信カウンタの値を＋１ずつ増やして通信要求信号ＳＢを送信し、Ｓ１３ステップにおいてＳＢ送信カウンタの値＝通信要求信号ＳＢの回数Ｎと判定された段階で、音声信号の送信に移行する（Ｓ１５）。音声通話（音声信号の送信）が終了するまではＳ１５〜Ｓ１６のステップを繰り返し、音声通話が終了した場合には、音声通話終了を通知するためのアイドル信号Ｍを所定回数送信する（Ｓ１７）。
【００２４】
次に、通信要求信号ＳＢを受信した基地局１１における処理の流れをＳ３１〜Ｓ３７により説明する。基地局１１は、受信待ち状態で待機している（Ｓ３１）。ここで、何か信号を受信すると、通信要求信号ＳＢか否かを判断する（Ｓ３１）。通信要求信号ＳＢであれば、当該通信要求信号ＳＢから識別情報ＩＤとＳＢ送信カウンタの値を抽出し、同期確立時のＩＤ及び同期確立カウント値としてのＳＢ送信カウンタの値をメモリに記憶する（Ｓ３２）。その後、移動局１２は設定された通信要求信号ＳＢの送信回数であるＮ回目の送信が終了した後に、音声信号の送信に移行するため、基地局１１では、音声信号受信状態で待機する（Ｓ３３）。以降、音声通話終了まで音声信号受信状態を維持する（Ｓ３３〜Ｓ３４）。音声通話が終了（Ｓ３３においてＮ）すると、移動局１２からのアイドル信号Ｍの受信待機状態となる（Ｓ３５）。アイドル信号を受信しない場合（Ｓ３５でＮ）には、音声通話が継続の可能性があると判断（Ｓ３３〜Ｓ３４のステップへ移行）するが、アイドル信号Ｍを受信した場合には、音声通話が終了したと判断する（Ｓ３６）。音声通話終了後に、Ｓ３２のステップで抽出してメモリに記憶させたＩＤ及び同期確立カウント値を読み出し、これを同期確立情報としてアイドル信号Ｂに乗せて当該移動局１２に対して送信する（Ｓ３７）。
【００２５】
なお、上記ステップＳ３１で、通信要求信号ＳＢを受信していないと判断する場合（Ｓ３１においてＮ）がある。これは、通信要求信号ＳＢを受信できなかったり、受信できても同期確立ができなかったりする場合である。しかしこのような場合であっても、その後の音声信号で同期が確立できる場合もあるので、そのために音声信号を受信しているか否かを判断する（Ｓ３８）。音声信号を受信していると判断（Ｓ３８でＹ）すれば、ステップＳ３４へ移行して音声通話を受信する。音声信号を受信していない場合（Ｓ３８でＮ）には、受信待ち状態に戻る。
【００２６】
基地局１１に対してアイドル信号Ｍを送信（Ｓ１７）した後の移動局１２における処理の流れをＳ１８〜Ｓ２０により説明する。基地局１１に対してアイドル信号Ｍを送信（Ｓ１７）した後は、移動局１２は、基地局１１からのアイドル信号Ｂの受信待機状態となる（Ｓ１８）。基地局１１からのアイドル信号Ｂを受信した場合には、アイドル信号に同期確立情報が含まれるかを判別し、同期確立情報が含まれていた場合には、その同期確立情報に自局の識別情報ＩＤ及び同期確立カウント値が含まれるか否かを判別する（Ｓ１９）。自局の識別情報ＩＤが指定されている場合には、当該同期確立情報から同期確立カウント値を抽出し、その値を新たな通信要求信号ＳＢの送信回数Ｎとしてメモリに記憶させる（Ｓ２０）。
【００２７】
以上のように、本発明の無線通信システムによれば、従来は固定的な値として設定していた通信要求信号ＳＢの送信回数を基地局との呼接続時に何回目の通信要求信号ＳＢによって同期確立したかを基地局から当該移動局に対して送信し、それを以降の呼接続における通信要求信号ＳＢの送信回数とするようにしたことで、無駄な通信要求信号ＳＢを送信することによって通話開始までの時間が遅延してしまうというデメリットを解消することが出来る。
【実施例２】
【００２８】
前記実施例においては、基地局１１から得た同期確立情報の同期確立カウント値をそのまま次の呼接続における通信要求信号ＳＢの送信回数Ｎとして記憶させたが、より確実に同期確立できるように、移動局１２において、同期確立情報の同期確立カウント値に所定の値を加えるようにしてもよい。例えば、図１の処理を経て同期確立情報の同期確立カウント値＝２に、所定の値、例えば「１」を加えて送信回数を「３」とする。
また、所定の値を加える処理を基地局１１側で行うようにすることもできる。即ち、図１の処理を経て２つ目の通信要求信号ＳＢによって同期確立ができた場合には、通信要求信号ＳＢから「ＳＢ送信カウンタ＝２」を抽出するが、移動局１１に対して送信する同期確立カウント値としては、所定の値、例えば「１」を加えて「同期確立カウント値＝３」として送信するようにすることもできる。
なお、所定の値を加算することで、前記通信要求信号の送信回数の値とは別に、後述の予め設定された通信要求信号の送信回数初期値を越える場合、送信回数初期値を優先する。
【実施例３】
【００２９】
前記実施例１、２においては、通信要求信号ＳＢの送信回数を少なくする方向に関する処理について説明したが、例えば、図１の処理を経て通信要求信号ＳＢの信号送信回数＝２と記憶した結果、次の呼接続において、２回の通信要求信号ＳＢの送信で同期が確立できない可能性もある。このような場合には、通話の頭切れや通話の発信者不明という事態が発生するおそれがあり、また、同期が確立されていないため基地局１１から同期確立情報を含んだアイドル信号Ｂが送られてこない場合がある。
【００３０】
そこで、移動局１２においては、通信要求信号ＳＢの送信回数Ｎの値とは別に、同期が確実にとれるであろう通信要求信号ＳＢの送信回数初期値をメモリに記憶させておき、前記基地局１１から同期確立情報が得られなかった場合には、前記送信回数初期値を新たな通信要求信号ＳＢの送信回数Ｎの値としてメモリに記憶することで、次回の呼接続を確実に行うことが可能となる。
【００３１】
また、この点に関しては、基地局１１から受信したアイドル信号Ｂに同期確立カウント値が含まれていない場合（図２のフローチャートにおけるステップＳ１９においてＮと判断された場合）についても同様である。即ち、通信要求信号ＳＢを受信していない、或いは、通信要求信号ＳＢによっては同期を確立できなかったが、その後の音声信号によって同期が確立できたような場合には、移動局１２のＩＤを認識することはできたが、通信要求信号ＳＢによって同期を確立できていないので、基地局１１は、同期確立カウント値を設定せずにアイドル信号Ｂを送信するような場合がある。この同期確立カウント値を含まないアイドル信号Ｂを受信した場合には、前記送信回数初期値を通信要求信号ＳＢの送信回数Ｎの値に上書きする（Ｓ２１）ことで、次回の呼接続を確実に行うことが可能となる。
【実施例４】
【００３２】
前記実施例３においては、通信要求信号ＳＢの送信回数初期値を移動局１２において記憶しておく構成としたが、これに限定されるものではなく、基地局１１において通信要求信号ＳＢの送信回数初期値を記憶するようにしてもよい。この場合、同期を確立できなかったことを移動局１２に通知する手段として、当該移動局１２に対して送信するＳＢ送信カウンタ値を通信要求信号ＳＢの送信回数初期値として当該移動局に対して送信することで、移動局１２側において受信したＳＢ送信カウンタ値を新たな通信要求信号ＳＢの送信回数としてメモリに記憶することになる。これにより、次回の呼接続を確実に行うことが可能となる。
【００３３】
なお、上記実施例は移動局から基地局に対しての通信要求について記載しているが、基地局から移動局に対しての通信要求であっても同様な処理をしてもよい。
【符号の説明】
【００３４】
１０…統制台、１１…基地局、１２…移動局。
【図１】
2012212973.tif 000003
【図２】
2012212973.tif 000004
【図３】
2012212973.tif 000005
【図４】
2012212973.tif 000006